【事件の表示】
　特許第２７３１５０２号「化粧品組成物」の請求項１、３ないし５、８ないし１４に係る特許に対する特許異議の申立てについて、次のとおり決定する。
【結論】
　訂正を認める。
　特許第２７３１５０２号の請求項１、３ないし５、８ないし１４に係る特許を維持する。
【理由】
１．本件特許第２７３１５０２号は、平成５年５月２０日の出願に係り、平成９年１２月１９日に設定登録された後、平成１０年９月２５日に特許異議申立てがなされ、取消理由通知後、平成１１年６月１０日に訂正請求がなされたものである。
２．訂正請求について、
　本件訂正請求は以下のとおりである。
（１）特許明細書の請求項１中、「Ｒ３は、（ｉ）Ｈ−、（ｉｉ）ＣｘＨｙ−、及び（ｉｉｉ）ＣｘＨｙＣＯ−」を、「Ｒ３は、（ｉ）Ｈ−、（ｉｉ）ＣｘＨｙ−」に訂正する。
（２）特許明細書の段落番号［００２１］における「Ｒ３は（ｉ）Ｈ−、（ｉｉ）ＣｘＨｙ−、及び（ｉｉｉ）ＣｘＨｙＣＯ−」を、「Ｒ３は、（ｉ）Ｈ−、（ｉｉ）ＣｘＨｙ−」に訂正する。
　そこで、検討するに、（１）の訂正は、組成物に使用するグルタミン酸誘導体についての置換基Ｒ３の定義中、置換基Ｒ３がＣｘＨｙＣＯ−の場合を削除するものであるから、特許請求の範囲の減縮を目的とするものである。
　また、（２）の訂正は、（１）の訂正に伴い、
　明細書の発明の詳細な説明中の記載を訂正後の特許請求の範囲の記載と整合させるものであるから、明瞭でない記載の釈明を目的とするものである。
　しかも、これら訂正は、特許請求の範囲を実質的に拡張、変更するものでもなく、願書に添付された明細書に記載された事項の範囲内の訂正ではないとすることもできないものである。
　さらに、後記することから明らかなように、訂正後の特許請求の範囲に記載された発明は、特許出願の際独立して特許を受けることができないものではない。
　したがって、本件訂正請求は、特許法第１２０条の４第２項及び同条第３項で準用する同法第１２６条第２−４項の規定に適合するから、当該訂正を認める。
３．異議申し立てについて、
　本件訂正後の発明は、訂正明細書の記載からみて、その特許請求の範囲に記載された事項により特定される以下のものである。
「［請求項１］毛髪の成長を、誘発、維持又は増進させるための哺乳動物の皮膚及び毛髪に局所適用するのに適した組成物であって、
ｉ．下記の式（１）：
［化１］
［式中、Ｒ１及びＲ２は各々が、
（ｉ）Ｈ＋
（ｉｉ）Ｎａ＋、Ｋ＋及びＬｉ＋から選択したアルカリ金属陽イオン、
（ｉｉｉ）ＮＨ４＋又はアルカノールアンモニウムイオン、並びに
（ｉｖ）ＣｘＨｙ−
から選択され、
Ｒ１基及びＲ２基は互いに同じか又は異なり、
Ｒ３は、
（ｉ）Ｈ−
（ｉｉ）ＣｘＨｙ−
から選択され、
ｘは１〜２２の整数であり、
ｙは３〜４５の整数であり、
但し、Ｒ３がＨ−の場合Ｒ１基及びＲ２基のうち少なくとも１つはＣｘＨｙ−である」
で示されるグルタミン酸誘導体及び前記グルタミン酸誘導体の混合物から選択した育毛促進剤を０．００１〜９９重量％の有効量で含むと共に、
ｉｉ．前記育毛促進剤の化粧品的に許容し得る賦形剤を１〜９９．９９重量％含む前記組成物。
［請求項２］育毛促進剤が、Ｌ−グルタミン酸γ−ｎ−オクチルエステルである請求項１に記載の組成物。
［請求項３］育毛促進剤が組成物０．０１〜２０重量％を構成する請求項１又は２に記載の組成物。
［請求項４］更に活性増進剤をも含む請求項１〜３のいずれか１項に記載の組成物。
［請求項５］活性増進剤が育毛刺激剤である請求項４に記載の組成物。
［請求項６］育毛刺激剤がミノキシジルである請求項５に記載の組成物。
［請求項７］活性増進剤が浸透増進剤である請求項４に記載の組成物。
［請求項８］活性増進剤が陽イオンポリマーである請求項４に記載の組成物。
［請求項９］更に界面活性剤をも含む請求項１から８のいずれか一項に記載の組成物。
［請求項１０］ｐＨ値が２から７未満の範囲である請求項１〜９のいずれか１項に記載の組成物。
［請求項１１］シャンプー又はヘアコンデショナーである請求項１〜１０のいずれか１項に記載の組成物。
［請求項１２］（ｉ）前述の式（１）で示されるグルタミン誘導体及びその混合物から選択した育毛促進剤と、（ｉｉ）化粧品的に許容し得る賦形剤とを一緒に混合することからなる、請求項１〜１１のいずれか１項に記載の組成物の製造方法。
［請求項１３］毛髪の成長を誘発、維持又は増進するために哺乳動物の体を化粧品で処理する方法であって、毛髪の成長が所望される体表面に請求項１〜１１のいずれか１項に記載の組成物を局所適用することからなる方法。
［請求項１４］頭皮上の毛髪の成長を誘発、維持又は増進させるために組成物を頭皮に適用する請求項１３に記載の方法。」
　これに対して、本件異議申立人は、本件請求項１、３〜５、８〜１４の各発明に係る特許は、特許法第２９条の規定に違反してなされたものであるから取消すべきである旨主張し、甲第１号証（特開昭５５−６２９９７号公報）、甲第２号証（特開昭６２−６７０１１号公報）、甲第３号証に（特公昭５６−１２６０９号公報）及び甲第４号証（特開昭６１−１５５３１０号公報）を提示している。
　なお、訂正後の請求項１の発明を以下本件発明という。
　そこで、まず、本件発明について検討するに、上記甲第１〜４号証においては、シャンプー、リンス、ヘアコンデショナーあるいは整髪料等の毛髪化粧料において、各種Ｎ−アシルグルタミン酸塩、同エステルを使用することが記載されており、特に甲第４号証においては毛髪化粧料として養育毛効果のある組成物を対象にする旨記載されているが、本件発明の組成物においては、訂正により、上記甲第１〜４号証に記載されているようなＮ−アシルグルタミン酸誘導体を使用することは除外されているから、本件発明が、甲第１〜４号証に記載された発明であるとすることはもはやできない。
　また、甲第１〜４号証においては、Ｎ−アシルグルタミン酸誘導体以外のグルタミン酸誘導体の使用を示唆する記載は全くないから、これら甲各号証の記載から、本件発明のグルタミン酸誘導体の使用は当業者において容易には想到できず、本件発明は甲第１〜４号証に記載された発明から当業者が容易に発明できたものではない。
　次に、本件請求項３〜５及び８〜１１の各発明は、本件発明の組成物をさらに限定した発明に相当し、同請求項１２及び１４の各発明は、それぞれ、本件発明の組成物及び本件発明の組成物をさらに限定した請求項の組成物を製造する方法及びこれら組成物を使用する方法に関する発明であり、また、同請求項１４の発明は上記請求項１３の発明をさらに限定した発明である。してみれば、本件発明が甲第１〜４号証に記載された発明ではなく、また、これら甲各号証から当業者において容易に発明できたものでない以上、本件請求項３〜５及び８〜１４の各発明も、甲第１〜４号証に記載された発明ではなく、これら甲各号証から当業者が容易に発明できたものでもない。
４，むすび
　以上のとおりであるから、本件訂正請求は認めることができ、本件請求項１、３〜５、及び８〜１４の各発明に係る特許は、本件異議申立ての理由及び証拠によっては取消すことができない。
　また、他にこれら請求項に係る特許を取消すべき理由を発見しない。
　よって結論のとおり決定する。
【異議決定日】
平成１１年１０月４日（１９９９．１０．４）
【訂正の要旨】
　特許請求の範囲の請求項１中の「Ｒ３は、（ｉ）Ｈ−（ｉｉ）ＣｘＨｙ−、及びに（ｉｉｉ）ＣｘＨｙＣＯ−」を特許請求の範囲の減縮を目的として、「Ｒ３は、（ｉ）Ｈ−、（ｉｉ）ＣｘＨｙ−」と訂正する。
　これに伴い、特許請求の範囲の記載と発明の詳細な説明の記載との整合を図るため、明瞭でない記載の釈明を目的として、明細書の段落番号【００２１】における「Ｒ３は、（ｉ）Ｈ−、（ｉｉ）ＣｘＨｙ−、及び（ｉｉｉ）ＣｘＨｙＣＯ−」を「Ｒ３は、（ｉ）Ｈ−、（ｉｉ）ＣｘＨｙ」と訂正する。
（５４）【発明の名称】
化粧品組成物
（５７）【特許請求の範囲】
　　【請求項１】　毛髪の成長を、誘発、維持又は増進させるために哺乳動物の皮膚及び毛髪に局所適用するのに適した組成物であって、
ｉ．下訂の式（１）：
　【化１】
［式中、Ｒ１及びＲ２は各々が、
（ｉ）Ｈ＋、
（ｉｉ）Ｎａ＋、Ｋ＋及びＬｉ＋から選択したアルカリ金属陽イオン、
（ｉｉｉ）ＮＨ４＋又はアルカノールアンモニウムイオン、並びに
（ｉｖ）ＣｘＨｙ−
から選択され、
Ｒ１基及びＲ２基は互いに同じか又は異なり、
Ｒ３は、
（ｉ）Ｈ−、
（ｉｉ）ＣｘＨｙ−
から選択され、
ｘは１〜２２の整数であり、
ｙは３〜４５の整数であり、
但し、Ｒ３がＨ−の場合Ｒ１基及ぴＲ２基のうち少なくとも１つはＣｘＨｙ−である］
で示されるグルタミン酸誘導体及び前記グルタミン酸誘導体の混合物から選択した育毛促進剤を０．００１〜９９重量％の有効量で含むと共に、
ｉｉ．前記育毛促進剤用の化粧品的に許容し得る賦形剤を１〜９９．９９重量％含む前記組成物。
　　【請求項２】育毛促進剤が、Ｌ−グルタミン酸γ−ｎ−オクチルエステルである請求項１に記載の組成物。
　　【請求項３】育毛促進剤が組成物の０．０１〜２０重量％を構成する請求項１又は２に記載の組成物。
　　【請求項４】更に活性増進剤をも含む請求項１〜３のいずれか１項に記載の組成物。
　　【請求項５】活性増進剤が育毛刺激剤である請求項４に記載の組成物。
　　【請求項６】育毛刺激剤がミノキシジルである請求項５に記載の組成物。
　　【請求項７】活性増進剤が浸透増進剤である請求項４に記載の組成物。
　　【請求項８】活性増進剤が陽イオンポリマーである請求項４に記載の組成物。
　　【請求項９】更に界面活性剤をも含む請求項１から８のいずれか一項に記載の組成物。
　　【請求項１０】ｐＨ値が２から７未満の範囲である請求項１〜９のいずれか１項に記載の組成物。
　　【請求項１１】シャンプー又はヘアコンディショナーである請求項１〜１０のいずれか１項に記載の組成物。
　　【請求項１２】（ｉ）前述の式（１）で示されるグルタミン酸誘導体及びその混合物から選択した育毛促進剤と、（ｉｉ）化粧品的に許容し得る賦形剤とを一緒に混合することからなる、請求項１〜１１のいずれか１項に記載の組成物の製造方法。
　　【請求項１３】毛髪の成長を誘発、維持又は増進するために哺乳動物の体を化粧品で処理する方法であって、毛髪の成長が所望される体表面に請求項１〜１１のいずれか１項に記載の組成物を局所適用することからなる方法。
　　【請求項１４】頭皮上の毛髪の成長を誘発、維持又は増進させるために組成物を頭皮に適用する請求項１３に記載の方法。
【発明の詳細な説明】
　【産業上の利用分野】
　本発明は、毛髪の成長、特にヒトの頭皮上の硬毛（ｔｅｒｍｉｎａｌ　ｈａｉｒ）の成長を増進又は維持し得る育毛促進剤（ｈａｉｒ　ｇｒｏｗｔｈ　ｐｒｏｍｏｔｅｒ）を含む、哺乳動物の皮膚又は毛髪に局所適用するための化粧品及び医薬組成物に関する。
　　【従来の技術及び発明が解決しようとする課題】
毛髪成長サイクル
　殆どの哺乳動物では毛髪は継続的には成長せず、成長及び休止の期間を交互に含む活性サイクルを経ると説明できる。この毛髪成長サイクルは、以下の３つの主要段階に分けることができる。
（ｉ）成長期（ａｎａｇｅｎ）と称する成長段階：この期間には、毛包が皮膚に深く浸透し、毛球細胞が迅速に分割し分化して毛髪を形成する。
（ｉｉ）：カターゲン（ｃａｔａｇｅｎ、退行）と称する過渡段階：この段階は有糸分裂の休止こよって示され、この期間には毛包が皮膚を介して上に後退し、毛髪の成長が停止する。
（ｉｉｉ）テロゲン（ｔｅｌｏｇｅｎ、休止期）と称する休止段階：この期間には、後退した毛包が、みっちり詰まった皮膚の乳頭細胞からなる球を下側に有する小さな第２の毛芽を含んでいる。
　新しい成長期相の開始は、毛芽の急速な増殖、皮膚の乳頭の拡張及び基膜成分の形戊によって示される。毛髪サイクルはその後、男性型禿頭の発症の結果として殆どの毛包がより多くの時間を休止期で過ごすようになり、発生した毛髪がより細く、より短く、より見えにくくなるまで何回も繰り返される。これは、便毛から軟毛への変態として知られている。
従来技術
禿頭症の疑わしい治療
　ヘアトニック等の局所適用により毛髪の成長を促進又は維持することは多くの科学文献で報告されてきたが、おそらくはミノキシジルを除いて、局所投与用、経口投与用又は全身投与用のいかんを問わず、医療用医薬品、売薬又は化粧品としての商品化に不都合な臨床的副作用を実質的に伴わないものはなかった。禿げた又は禿げつつあるヒトの頭に毛髪を成長させる上で多少とも成功した唯一の手段は、おそらく、禿げている部分への毛髪の移植である。しかしながら、これは非常な痛みを伴う手術であり、いつも成功するとは限らない。更に、周囲の人間が何気なく見ただけで毛髪移植を受けたことがすぐにわかり、また手術後に、毛髪の成長が元の自然に成長していた毛髪と類似の様相を呈するまでには何箇月も、又は何年もかかる。
　文献に報告されている多くの育毛研究の中には、ＰＣＴ国際特許出願公開第ＷＯ８５／０４５７７号のＢａｚｚａｎｏの研究が含まれている。この先行特許明細書には、哺乳動物の皮膚上での毛髪の成長速度を高め、毛髪成長サイクルの成長期相を延長し、且つ種々の型の禿頭を治療するのに有用な組成物が開示されている。この組成物は、ピリミジンカルバメートを含んでいる。
　Ｕｐｊｏｈｎ社に譲渡されたＣｈｉｄｓｅｙの米国特許第４，１３９，６１９号には、遊離塩基もしくはその酸付加塩としてのミノキシジル、又は特定の関連イミノピリミジンを含む局所投与組成物が、軟毛から硬毛としての成長への変換を刺激すると共に、硬毛の成長速度を増加する上で有用であると報告されている。
　Ｂａｚｚａｎｏ及びＣｈｉｄｓｅｙによって別個に報告されているように、ミノキシジル又は関連化合物の局所適用により毛髪の成長又は再成長が明白に刺激されるにも拘わらず、特にミノキシジルを局所適用した後は全身的な副作用が発生し得るという一般的な懸念がある。例えば、医学文献では一般に、経口投与したミノキシジルの副作用が非常に強く、体液貯留（ｆｌｕｉｄｒｅｔｅｎｔｉｏｎ）、頻脈、呼吸困難、女性化乳房、疲労、吐き気及び心臓毒性を含むことが認められている。ミノキシジルの局所適用後にある種の副作用が生じたという証拠もある。
　ライオン（株）の日本特許ＪＰ６１／１５１１０９号には、モノ−Ｎ−長鎖アシル塩基性アミノ酸低級アルキルエステル塩を、奇数個の炭素原子を有する高級脂肪酸、奇数個の炭素原子を有する高級脂肪アルコール又はその誘導体と共に含む組成物を毛髪の再生及び成長増進効果のために使用し得ることが報告されている。
　西独特許ＤＥ−１６１７４７７号（Ｆｉｓｃｈｅｒ）には、毛髪の成長を保証すると記述されているヘアトニックが開示されている。このヘアトニックは、種々のアミノ酸と４種類のビタミンとを含んでいる。
　　【課題を解決するための手段】
発明の背景
　毛髪の成長を促進するためにヒトの頭皮に局所適用し得る効果的な組成物に関する本出願人の研究は、効果があるだけでなく、全く安全に使用でき、且つその魅力を制限する禁忌がない分子を発見する必要性によって促されたものである。本出願人はまたこの点に関して、合成が容易であり、且つ多くの潜在的消費者にアピールする大衆向け製品を展開できるように安価である比較的単純な分子を同定したいと望んでいた。
　本出願人は、毛包が体内で最も速く細胞分裂するものの１つであることに気付いた。そのため、速い細胞成長を支えるエネルギーがかなり要求される。近年まで、毛包の好ましいエネルギー源、又はこれらのエネルギー源が利用される代謝経路は殆ど知られていなかった。
　しかしながら、最近になって
ｉｎ　ｖｉｔｒｏ
ｉｎ　ｖｉｖｏ
　本出願人は研究の過程で、毛包がエネルギー源としてグルコースの他に幾つかの異なる燃料を使用し得ることを発見した。これらの燃料には、例えばある種のグルタミン酸誘導体がある。
　驚くべきことに、本出願人は、これらの代替燃料がエネルギー生成に関して単にグルコースの代替物として機能するのではないことを発見した。これらの燃料のうちの１つ以上を少量供給すると、グルコースの存在下でも、直線的な毛髪成長速度の有意な刺激が観察されたのである。
　従って本発明は、特定のグルタミン酸誘導体を使用する育毛促進に関する。
発明の定義
　本発明は、毛髪の成長を誘発、維持又は増進するために哺乳動物の皮膚又は毛髪に局所適用するのに適した組成物であって、
ｉ．下記の式（１）：
　【化２】
［式中、Ｒ１及びＲ２は各々が、
（ｉ）Ｈ＋、
（ｉｉ）Ｎａ＋、Ｋ＋及びＬｉ＋から選択したアルカリ金属陽イオン、
（ｉｉｉ）ＮＨ４＋又はアルカノールアンモニウムイオン、並びに
（ｉｖ）ＣｘＨｙ−
から選択され、
Ｒ１基及びＲ２基は互いに同じか又は異なり、
Ｒ３は、
（ｉ）Ｈ−、
（ｉｉ）ＣｘＨｙ−
から選択され、
ｘは１〜２２の整数であり、
ｙは３〜４５の整数であり、
但し、Ｒ３がＨ一の場合はＲ１基及びＲ２基のうちの少なくとも１つがＣｘＨｙ−である］
で示されるグルタミン誘導体及び前記グルタミン酸誘導体の混合物から選択し
た育毛促進剤を０．００１〜９９重量％の有効量で含むと共に、
ｉｉ．前記育毛促進剤用の化粧品的に許容し得る賦形剤を１〜９９．９９重量％含む前記組成物を提供する。
発明の開示
育毛促進剤
　本発明の組成物は、前述の式（１）で示されるグルタミン酸誘導体から選択した育毛促進剤を含む。
　Ｒ１がＣｘＨｙ−を表す式（１）で示されるグルタミン酸誘導体の好ましい具体例としては下記のものが挙げられる：
Ｌ−グルタミン酸γ−メチルエステル（２）
Ｌ−グルタミン酸γ−エチルエステル（３）
Ｌ−グルタミン酸γ−ｎ−プロピルエステル（４）
Ｌ−グルタミン酸γ−イソプロピルエステル（５）
Ｌ−グルタミン酸γ−ｎ−ブチルエステル（６）
Ｌ−グルタミン酸γ−ｎ−ヘキシルエステル（７）
Ｌ−グルタミン酸γ−ｎ−オクチルエステル（８）
Ｌ−グルタミン酸γ−ｎ−ドデシルエステル（９）
Ｌ−グルタミン酸γ−ｎ−テトラデシルエステル（１０）
Ｌ−グルタミン酸γ−ｎ−ヘキサデシルエステル（１１）
Ｌ−グルタミン酸γ−ｎ−オクタデシルエステル（１２）
及びこれらのモノナトリウム又はモノカリウム塩。
　Ｒ２がＣｘＨｙ−を表す式（１）で示されるグルタミン酸誘導体の好ましい具体例としては下記のものが挙げられる：
Ｌ−グルタミン酸α−メチルエステル（１３）
Ｌ−グルタミン酸α−エチルエステル（１４）
Ｌ−グルタミン酸α−ｎ−プロピルエステル（１５）
Ｌ−グルタミン酸α−イソプロピルエステル（１６）
Ｌ−グルタミン酸α−ｎ−ブチルエステル（１７）
Ｌ−グルタミン酸α−ｎ−ヘキシルエステル（１８）
Ｌ−グルタミン酸α−ｎ−オクチルエステル（１９）
Ｌ−グルタミン酸α−ｎ−ドデシルエステル（２０）
Ｌ−グルタミン酸α−ｎ−テトラデシルエステル（２１）
Ｌ−グルタミン酸α−ｎ−ヘキサデシルエステル（２２）
Ｌ−グルタミン酸α−ｎ−オクタデシルエステル（２３）
及びこれらのモノナトリウム塩又はモノカリウム塩。
　Ｒ３がＣｘＨｙ−を表す式（１）で示されるグルタミン酸誘導体の好ましい具体例としては下記のものが挙げられる：
Ｎ−メチルグルタミン酸（２４）
Ｎ−エチルグルタミン酸（２５）
Ｎ−ｎ−プロピルグルタミン酸（２６）
Ｎ−イソプロピルグルタミン酸（２７）
Ｎ−ｎ−ブチルグルタミン酸（２８）
Ｎ−ｎ−ヘキシルグルタミン酸（２９）
Ｎ−ｎ−オクチルグルタミン酸（３０）
Ｎ−ｎ−デシルグルタミン酸（３１）
Ｎ−ｎ−ドデシルグルタミン酸（３２）
Ｎ−ｎ−オクタデシルグルタミン酸（３３）
並びにこれらの対応するモノもしくはジナトリウム塩及びモノもしくはジカリウム塩。
　Ｒ３がＣｘＨｙＣＯ−を表す式（１）で示されるグルタミン酸誘導体の好ましい具体例としては下記のものが挙げられる：
Ｎ−アセチルグルタミン酸（３４）
Ｎ−ｎ−プロパノイルグルタミン酸（３５）
Ｎ−イソプロパノイルグルタミン酸（３６）
Ｎ−ｎ−ブタノイルグルタミン酸（３７）
Ｎ−ｎ−ヘキサノイルグルタミン酸（３８）
Ｎ−ｎ−オクタノイルグルタミン酸（３９）
Ｎ−ｎ−デカノイルグルタミン酸（４０）
Ｎ−ｎ−ドデカノイルグルタミン酸（４１）
Ｎ−ｎ−オクタデカノイルグルタミン酸（４２）
並びにこれらの対応するモノもしくはジナトリウム塩及びモノもしくはジカリウム塩。
　前述の（２）〜（４２）から選択されるグルタミン酸誘導体については後述の実施例で更に説明する。尚、実施例ではこれらの誘導体を「促進剤」とし、対応番号を括弧内に示した。
　本発明の組成物は、本明細書に記載のような育毛促進剤を２種類以上含み得る。
　本発明の組成物が含む育毛促進剤の総量は、育毛を誘発、維持又は増進するのに十分な量である。この量は、促進剤の種類によって異なる効果に依存するが、一般的には組成物の０．００１〜９９重量％、通常は０．０１〜２０重量％の量にすると、皮膚特に頭皮への適用に適した濃度が得られる。このような組成物の適用は育毛の促進に必要なだけ繰り返し得る。
化粧品的に許容し得る賦形剤
　本発明の組成物は、育毛促進剤を適当な希釈度で皮膚に適用できるように、固体、半固体又は液体状の化粧品的に及び／又は生理学的に許容し得る賦形剤も含む。賦形剤の種類は、組成物を局所投与するために選択した方法に依存する。賦形剤そのものは不活性であるか、又はそれ自体の生理学的もしくは薬学的効果を有していてよい。
　このような目的をもつ賦形剤は、本組成物の所期の製品形態に応じて広い範囲で選択し得る。適当な賦形剤は後述のように分類できる。
　賦形剤は、育毛促進剤の希釈剤、分散剤又は溶媒として作用し得る物質であり、従って適当な濃度で毛髪及び／又は頭皮に適用し且つ均一に分配できる物質でなければならない。賦形剤は、エステルが皮膚の中に浸透して毛包のすぐ周囲に到達するのを助長できるようなものが好ましい。本発明の組成物は、賦形剤としての水、及び／又は水以外の化粧品的に許容し得る少なくとも１種類の賦形剤を含み得る。
　本発明の組成物に含ませ得る水以外の賦形剤としては、固体又は液体、例えば緩和剤、溶媒、保湿剤、増粘剤及び粉体が挙げられる。単独で又は１種類以上の賦形剤の混合物として使用し得るこの種の賦形剤の具体例としては、下記のものが挙げられる。
緩和剤、例えばステアリルアルコール、グリセリルモノリシノレエート、グリセリルモノステアレート、プロパン−１，２−ジオール、ブタン−１，３−ジオール、ミンク油、セチルアルコール、イソプロピルイソステアレート、ステアリン酸、イソブチルパルミテート、イソセチルステアレート、オレイルアルコール、イソプロピルラウレート、ヘキシルラウレート、デシルオレエート、オクタデカン−２−オール、イソセチルアルコール、セチルパルミテート、ジメチルポリシロキサン、ジ−ｎ−ブチルセバケート、イソプロピルミリステート、イソプロピルパルミテート、イソプロピルステアレート、ブチルステアレート、ポリエチレングリコール、トリエチレングリコール、ラノリン、ゴマ油、ヤシ油、アラキス油、ヒマシ油、アセチル化ラノリンアルコール、石油、鉱油、ブチルミリステート、イソステアリン酸、パルミチン酸、イソプロピルリノレート、ラウリルラクテート、ミリスチルラクテート、デシルオレエート、ミリスチルミリステート。
噴射剤、例えばプロパン、ブタン、イソブタン、ジメチルエーテル、二酸化炭素、一酸化二窒素。
溶媒、例えばエチルアルコール、塩化メチレン、イソプロパノール、ヒマシ油、エチレングリコールモノエチルエーテル、ジエチレングリコールモノブチルエーテル、ジエチレングリコールモノエチルエーテル、ジメチルスルホキシド、ジメチルホルムアミド、テトラヒドロフラン。
保湿剤、例えばグリセリン、ソルビトール、２−ピロリドン−５−カルボン酸ナトリウム、溶解性コラーゲン、ジブチルフタレート、ゼラチン。
粉体、例えばチョーク、タルク、フラー土、カオリン、スターチ、ガム、コロイド二酸化ケイ素、ポリアクリル酸ナトリウム、テトラアルキル及び／又はトリアルキルアリールアンモニウムスメクタイト、化学的に改質した珪酸マグネシウムアルミニウム、有機的に改質したモンモリロナイト粘土、水和珪酸アルミニウム、ヒュームドシリカ、カルボキシビニルポリマー、ナトリウムカルボキシメチルセルロース、エチレングリコールモノステアレート。
　本発明の組成物中の賦形剤の量は、水が存在する場合には水も含めて、選択した育毛促進剤の少なくとも一部分を毛髪の成長を効果的に促進するのに十分な量で皮膚につけるのに十分なものであることが好ましい。賦形剤の量は、特に組成物中に他の成分が殆ど又は全く配合されない場合には、組成物の残余であり得る。従って、１種類以上の賦形剤は、組成物の１〜９９．９９％、好ましくは５０〜９９．５重量％、理想的には９０〜９９重量％を構成し得る。
香料
　本発明の組成物は、消費者に受け入れられ且つ快適な使用感を有する組成物を製造ずるのに十分な量の香料も任意に含み得る。香料は通常、組成物の０．０１〜：．０重量％を構成する。
活性増進剤
　本発明の組成物は任意に活性増進剤も含み得る。
　活性増進剤は、育毛促進剤の育毛効果を増進すべく種々の方法で作用し得る広範囲の分子から選択し得る。特定の種類の活性増進剤は、（ａ）別の育毛刺激剤、（ｂ）浸透増進剤及び（ｃ）陽イオンポリマーを含む。これらの存在は、エステルが角質層を通って毛包のすぐ周囲の作用部位に到達するのを更に促進し得る。
　ある種の活性増進剤は、エステルの賦形剤としても作用し得る。
（ａ）他の育毛刺激剤
ｉ．それ自身が毛髪の成長を刺激又は増進する能力を有する他の物質の具体例としては、下記のものが挙げられる。
　塩化ベンザルコニウム
　塩化ベンゼトニウム
　フェノール
　エストラジオール
　ジフニンヒドラミンヒドロクロリド
　クロロフェニラミンマレエート
　クロロフィリン誘導体
　コレステロール
　サリチル酸
　シスチン
　メチオニン
　レッドペッパーチンキ
　ベンジルニコチネート
　ｄ１−メントール
　ペパーミントオイル
　カルシウムパントテネート
　パンテノール
　ヒマシ油
　ヒノキチオール
　プレドニゾロン
　レゾルシノール。
　硬毛の成長速度を増進する能力を有する物質としては下記のものが挙げられる。
ｉｉ．下記の式（３）：
　【化３】
｛式中、Ｚは、アジド又は式−ＮＨＢ［式中、Ｂは、−Ｈ又は官能基、例えばアセチルあるいは有機もしくは無機陽イオンとの塩としての硫酸塩を表す］で示される基のような窒素官能基を表し、
Ｍは、−Ｈ又はＳＯ３Ｍ１［式中、Ｍ１は、有機もしくは金属陽イオン、特にアルカリ金属陽イオン、又はアセチル基を表す］を表し、
Ｒは、Ｃ１〜Ｃ４アルキル基、特にメチル基、又はアリール基を表し、
Ａは、酸又は−ＣＯＯＲ１［式中、Ｒ１は、−ＨもしくはＣ１〜Ｃ４アルキル基、特にメチル基、又は金属、特にアルカリ金属を表す］のような官能基を表す｝で示されるＣｈｏａｙＳ．Ａ．の欧州特許公開出願第００６４０１２号に記載のα−１，４エステル化二糖、
下記の式（４）：
　【化４】
で示されるウロン酸残基と、
下記の式（５）：
　【化５】
で示されるヘキソサミン残基とからなる少なくとも１つのエステル化二糖単位を含むＵｎｉｌｅｖｅｒの欧州特許出願公開第０２１１６１０号に記載のエステル化オリゴ糖。
前記式（４）及び（５）中、
Ｒ’は、−Ｈ、Ｃ３〜Ｃ１０アルキル又は
　【化６】
Ｒ”は、−Ｈ、Ｃ１〜Ｃ４アルキル、−ＣＯ（ＣＨ２）ｍＣＨ３又はＳＯ３Ｍであり、
Ｒ’”は、−Ｈ、−ＣＯ（ＣＨ２）ｍＣＨ３又は−ＳＯ３Ｍであり、
Ｍは、−Ｈ、又は金属もしくは有機陽イオンであり、
ｎは、０又は１〜７の整数であり、且つ
ｍは、０又は１もしくは２の整数であり、
Ｒ”で示される基は互いに同じか又は異なり、各ピラノース環構造由来の１個のＲ”基は、配置α−１，３、α−１，４、β−１，３又はβ−１，４を有するグリコシド結合により結合されており、且つ−ＣＯＯＲ’、−ＣＨ２ＯＲ”及び−ＯＲ”基は、ピラノース環に対していずれかの配置を取る。
ｉｉｉ．Ｕｎｉｌｅｖｅｒの欧州特許第０２４２９６７号に記載のミノキシジルグルクロニド。
ｉｖ．Ｕｐｊｏｈｎ　Ｃｏ．のＷＯ８６／０４２３１号に記載のミノキシジル硫酸塩。
ｖ．Ｕｐｊｏｈｎ　Ｃｏ．の米国特許第４，１３９，６１９号に記載のミノキシジル及びその別の誘導体。
ｖｉ．Ｒｅｄｋｅｎ　Ｌａｂｏｒａｔｏｒｉｅｓ，Ｉｎｃ．の米国特許第４，８１４，３５１号に記載のエチレンジアミンテトラ酢酸又はその塩。
ｖｉｉ．Ｕｎｉｌｅｖｅｒの欧州特許第０２７７４２８号に記載の直接プロテオグリカナーゼ阻害剤（ｄｉｒｅｃｔ　ｐｒｏｔｅｏｇｌｙｃａｎａｓｅ　ｉｎｈｉｂｉｔｏｒｓ）、例えば１，１０−フェナントロリン。
ｖｉｉｉ．Ｕｎｉｌｅｖｅｒの欧州特許第０２７７４２８号に記載のグリコサミノグリカナーゼ阻害剤、例えばアルドノラクトン及びエステル化アルドノラクトン。
　好ましい具体例としては下記のものが挙げられる。
　Ｌ‐ガラクトノ‐１，４‐ラクトン、
　Ｌ‐アラビノ‐１，５‐ラクトン、
　Ｄ‐フコノ‐１，５‐ラクトン、
　Ｄ‐グルカロ‐１，４‐ラクトン、
　Ｄ‐グルクロノ‐６，３‐ラクトン、
　ガラクタール酸ラクトン、
　２‐アセトアミド‐２‐デオキシグルコノラクトン、
　２‐アセトアミド‐２‐デオキシガラクトノラクトン、
　Ｄ‐グルカロ‐１，４：６，３‐ジラクトン、
　Ｌ‐イダロ（Ｉｄａｒｏ）‐１，４‐ラクトン、
　２，３，５‐トリ‐０‐アセチル‐Ｄ‐グルカロ‐１，４‐ラクトン、
　２，５‐ジ‐０‐アセチル‐Ｄ‐グルカロ‐１，４：６，３‐ジラクトン。
ｉｘ．Ｕｎｉｌｅｖｅｒの欧州特許第０２７７４２８号に記載のグリコサミノグリカナーゼ阻害剤、例えば単糖及びエステル化単糖。
　好ましい具体例としては下記のものが挙げられる。
　Ｎ−フセチルグルコサミン、
　Ｎ−アセチルガラクトサミン、
　Ｄ−ガラクトサミン、
　Ｄ−グルコサミン−３−サルフェート、
　Ｎ−アセチルマンノサミン。
ｘ．Ｕｎｉｌｅｖｅｒの欧州特許第０２７７４２８号に記載のグリコサミノグリカン鎖細胞摂取阻害剤（ｃｅｌｌｕｌａｒ　ｕｐｔａｋｅ　ｉｎｈｉｂｉｔｏｒ）、例えばヘキスロン酸及びそのエステル。
ｘｉ．ラクタムから選択される、欧州特許第０３３４５８６号（Ｕｎｉｌｅｖｅｒ）に記載のグルコシダーゼ活性の化学的阻害剤。
　好ましい具体例としては下記のものが挙げられる。
　Ｄ‐グルカロ‐１，５‐ラクタム、
　Ｌ‐ガラクトノ‐１，４‐ラクタム、
　Ｌ‐アラビノ‐１，５‐ラクタム、
　Ｄ‐フコノ‐１，５‐ラクタム、
　Ｄ‐グルカロ‐１，４‐ラクタム、
　Ｄ‐グルクロノ‐６，３‐ラクタム、
　１，２，５‐トリ‐Ｏ‐アセチル‐Ｄ‐グルクロノ‐６，３‐ラクタム、
　２‐アセトアミド‐２‐デオキシグルコノラクタム、
　２‐アセトアミド‐２‐デオキシガラクトノラクタム、
　Ｄ‐グルカロ‐１，４：６，３‐ジラクタム、
　Ｌ‐イグロ（Ｉｄａｒｏ）‐１，４‐ラクタム、
　２，３，５‐トリ‐Ｏ‐アセチル‐Ｄ‐グルカロ‐１，４‐ラクタム、
　２，５‐ジ‐Ｏ‐アセチル‐Ｄ‐グルカロ‐１，４：６，３‐ジラクタム、
　Ｄ‐グルカロ‐１，５‐ラクタムエチルエステル。
ｘｉｉ．ジアシルグリセロールから選択される、欧州特許第０３３４５８５号（Ｕｎｉｌｅｖｅｒ）に記載のプロテインキナーゼＣ酵素の化学的活性剤。
　好ましい具体例としては下記のものが挙げられる。
　１，２‐ジブタノイル‐ｒａｃ‐グリセロール、
　１，２‐ジヘキサノイル‐ｓｎ‐グリセロール、
　１，２‐ジオクタノイル‐ｒａｃ‐グリセロール、
　１，２‐ジオクタノイル‐ｓｎ‐グリセロール、
　１，２‐ジデカノイル‐ｒａｃ‐グリセロール、
　１‐オレオイル‐２‐アセチル‐ｒａｃ‐グリセロール、
　１‐オレオイル‐２‐アセチル‐ｓｎ‐グリセロール、
　１‐ステアロイル‐２‐アラキドノイル‐ｓｎ‐グリセロール、
　１，２‐ジステアロイル‐ｒａｃ‐グリセロール、
　１，２‐ジペンタデカノイル‐ｓｎ‐グリセロール、
　１，２‐ジペンタデカノイル‐ｒａｃ‐グリセロール、
　１，２‐ジパルミトイル‐ｒａｃ‐グリセロール、
　１，２‐ジパルミトイル‐ｓｎ‐グリセロール、
　１，２‐ジセプタデカノイル‐ｒａｃ‐グリセロール、
　１，２‐ジオレオイル‐ｓｎ‐グリセロール、
　１，２‐ジオレオイル‐ｒａｃ‐グリセロール、
　１，２‐ジアラキドノイル‐ｓｎ‐グリセロール、
　１，２‐ジエイコサノイル‐ｓｎ‐グリセロール、
　１，２‐ジドエイコサノイル‐ｒａｃ‐グリセロール、及び
　１，２‐ジオクタエイコサノイル‐ｓｎ‐グリセロール。
ｘｉｉｉ．アルドノモノラクトン又はアルドウロノモノラクトン（ａｌｄｕｒｏｎｏｍｏｎｏｌａｃｔｏｎｅ）誘導体から選択される、欧州特許第０３４８１８４号（Ｕｎｉｌｅｖｅｒ）に記載のグリコサミノグリカナーゼ阻害剤。
　好ましいアルドノモノラクトン誘導体の具体例としては、下記のものが挙げられる。
　６‐アセチル‐ガラクトノ‐１，４‐ラクトン、
　６‐プロピオニル‐ガラクトノ‐１，４‐ラクトン、
　６‐ブチリル‐ガラクトノ‐１，４‐ラクトン、
　２‐プロピオンアミド‐２‐デオキシグルコノラクトン、
　２‐ブチルアミド‐２‐デオキシグルコノラクトン、
　２‐プロピオンアミド‐２‐デオキシガラクトノラクトン、
　２‐ブチルアミド‐２‐デオキシガラクトノラクトン、
　６‐プロピオニル‐２‐アセトアミド‐２‐デオキシグルコノラクトン、
　ジアセチル‐６‐プロピオニル‐２‐アセトアミド‐２‐デオキシグルコノラクトン、
　６‐ブチリル‐２‐アセトアミド‐２‐デオキシガラクトノラクトン、
　ジアセチル‐６‐ブチリル‐２‐アセトアミド‐２‐デオキシガラクトノラクトン、
　２，３，５，６‐テトラアセチル‐ガラクトノ‐１，４‐ラクトン、
　２，３，５‐トリアセチル‐６‐プロピオニルガラクトノ‐１，４‐ラクトン、
　トリアセチル‐２‐プロピオンアミド‐２‐デオキシガラクトノラクトン、
　トリアセチル‐２‐ブチルアミド‐２‐デオキシグルコノラクトン、
　６‐メチル‐グルカロ‐１，４‐ラクトン、
　２，３，５，６‐テトラメチル‐グルカロ‐１，４‐ラクトン、
　６‐メチル‐２，３，５‐トリアセチルグルカロ‐１，４‐ラクトン、
　６‐メチル‐３‐メチル‐グルカロ‐１，４‐ラクトン及び
　６‐メチル‐３‐アセチル‐グルカロ‐１，４‐ラクトン。
　アルドウロノモノラクトン（ａｌｄｕｒｏｎｏｍｏｎｏｌａｃｔｏｎｅ）誘導体の好ましい具体例としては、１，２，５‐トリアセチル‐グルクロノ‐６，３‐ラクトンが挙げられる。
ｘｉｖ．アシル化単糖から選択される、欧州特許第０　３４８　１８４号（Ｕｎｉｌｅｖｅｒ）に記載のグリコサミノグリカナーゼ阻害剤。
　アシル化単糖の好ましい具体例としては下記のものが挙げられる。
　２‐プロピオンアミド‐２‐デオキシグルコース、
　１，３，４，６，‐テトラアセチル‐２‐プロピオンアミド‐２‐デオキシグルコース、
　２‐ブチルアミド‐２‐デオキシガラクトース、
　１，３，４，６‐テトラアセチル‐２‐ブチルアミド‐２‐デオキシガラクトース、
　２‐スルファミド‐２‐デオキシガラクトース、
　２‐スルファミド‐２‐デオキシグルコース、
　２‐ブチルアミド‐２‐デオキシマンノース、
　１，３，４，６‐テトラアセチル‐２‐ブチルアミド‐２‐デオキシマンノース、
　２‐ブチルアミド‐２‐デオキシグルコース、及び
　１，３，４，６‐テトラアセチル‐２‐ブチルアミド‐２‐デオキシグルコース。
ｘｖ．Ｌｅｖｅｒ　Ｂｒｏｔｈｅｒｓ　Ｃｏｍｐａｎｙの米国特許第４，７７４，２５５号に記載のピログルクミン酸エステル。
　好ましい具体例としては下記のものが挙げられる。
　ピログルタミン酸メチルエステル、
　ピログルタミン酸エチルエステル、
　ピログルタミン酸ｎ‐プロピルエステル、
　ピログルタミン酸ｎ‐ブチルエステル、
　ピログルタミン酸ｎ‐ヘキシルエステル、
　ピログルタミン酸ｎ‐ヘプチルエステル、
　ピログルタミン酸ｎ‐オクチルエステル、
　ピログルタミン酸ｎ‐ノニルエステル、
　ピログルタミン酸ｎ‐デシルエステル、
　ピログルタミン酸ｎ‐ウンデシルエステル、
　ピログルタミン酸ｎ‐ドデシルエステル、
　ピログルタミン酸ｎ‐トリデシルエステル、
　ピログルタミン酸ｎ‐テトラデシルエステル、
　ピログルタミン酸ｎ‐ヘキサデシルエステル、
　ピログルタミン酸ｎ‐オクタデシルエステル、
　ピログルタミン酸ｎ‐エイコシルエステル、
　ピログルタミン酸イソ‐プロピルエステル、
　ピログルタミン酸２‐メチルヘキシルエステル、
　ピログルタミン酸２‐エチルヘキシルエステル、
　ピログルタミン酸３，７‐ジメチルオクチルエステル、
　ピログルタミン酸２‐ヘキシルデシルエステル、
　ピログルタミン酸２‐オクチルドデシルエステル、
　ピログルタミン酸２，４，４‐トリメチル‐１‐ペンタンエステル、
　ピログルタミン酸メチルオクチルエステル、
　２‐［ピログルタモイルオキシ］‐プロピオン酸、
　メチル‐２‐［ピログルタモイルオキシ］‐アセテート、
　エチル‐２‐［ピログルタモイルオキシ］‐ｎ‐プロピオネート、
　エチル‐２‐［ピログルタモイルオキシ］‐ｎ‐ブチレート、
　エチル‐２‐［ピログルタモイルオキシ］‐イソ‐ブチレート、
　エチル‐２‐［ピログルタモイルオキシ］‐ｎ‐バレレート、
　エチル‐２‐［ピログルタモイルオキシ］‐ｎ‐カプロエート、
　エチル‐２‐［ピログルタモイルオキシ］‐ｎ‐ヘプチレート、
　エチル‐２‐［ピログルタモイルオキシ］‐ｎ‐カプリェート、
　エチル‐２‐［ピログルタモイルオキシ］‐ｎ‐ペラルゴネート、
　エチル‐２‐［ピログルタモイルオキシ］‐３‐ヒドロキシブチレート、
　イソ‐プロピル‐２‐［ピログルタモイルオキシ］‐ｎ‐プロピオネート、
　イソ‐プロピル‐２‐［ピログルタモイルオキシ］‐ｎ‐カプリレート、
　ｎ‐プロピル‐２‐［ピログルタモイルオキシ］‐ｎ‐プロピオネート、
　ｎ‐プロピル‐２‐［ピログルタモイルオキシ］‐ｎ‐カプリレート、
　ステアリル‐２‐［ピログルタモイルオキシ］‐ｎ‐プロピオネート、
　１２‐ヒドロキシステアリル‐２‐［ピログルタモイルオキシ］‐ｎ‐プロピオネート、
　ステアリル‐２‐［ピログルタモイルオキシ］‐ｎ‐ステアレート、
　パルミチル‐２‐［ピログルタモイルオキシ］‐ｎ‐プロピオネート、
　リノレイル‐２‐［ピログルタモイルオキシ］‐ｎ‐プロピオネート、
　リノレイル‐２‐［ピログルタモイルオキシ］‐ｎ‐カプリレート、
　ラウリル‐２‐［ピログルタモイルオキシ］‐ｎ‐カプリレート、
　ステアリル‐２‐［ピログルタモイルオキシ］‐ｎ‐カプリレート、
　グリセリルモノ（２‐［ピログルタモイルオキシ］‐ｎ‐プロピオネート）、
　グリセリルモノ（２‐［ピログルタモイルオキシ］‐ｎ‐カプリレート）及び
　グリセリルジ（２‐［ピログルタモイルオキシ］‐ｎ‐プロピオネート）。
ｘｖｉ．Ｕｎｉｌｅｖｅｒの欧州特許第３７８３８８号に記載のようなヘキソ糖酸もしくはフシル化ヘキソ糖酸又はその塩もしくはエステル。
好ましい具体例としては下記のものが挙げられる。
　アロ糖酸、
　アルトロ糖酸、
　グルコ糖酸、
　マンノ糖酸、
　グロ糖酸、
　イド糖酸、
　ガラクト糖酸、
　タロ糖酸、及び
　これらのジナトリウム塩。
ｘｖｉｉ．Ｕｎｉｌｅｖｅｒの欧州特許第４０３２３８号に記載のようなアリール置換エチレン類。
好ましい具体例としては下記のものが挙げられる。
　１‐カルボキシ‐２‐（４‐ヒドロキシフェニル）エチレン、
　１，１‐ジカルボキシ‐２‐（４‐ヒドロキシフェニル）エチレン、
　１，１‐ジシアノ‐２‐（４‐ヒドロキシフェニル）エチレン、
　１‐カルボキシ‐２‐（３，４‐ジヒドロキシフェニル）エチレン、
　１，１‐ジシアノ‐２‐（３‐ヒドロキシフェニル）エチレン、
　１‐シアノ‐１‐カルボキシ‐２‐（２，５‐ジヒドロキシフェニル）エチレン、
　１‐カルボキシ‐１‐シアノ‐２‐（３，４‐ジヒドロキシフェニル）エチレン、
　１，１‐ジシアノ‐２‐（３，４‐ジヒドロキシフェニル）エチレン、
　１，１‐ジシアノ‐２‐（３‐メトキシ４，５‐ジヒドロキシフェニル）エチレン、
　１，１‐ジシアノ‐２‐（３，４，５‐トリヒドロキシフェニル）エチレン、
　１‐アミド‐１‐シアノ‐２‐（３，４‐ジヒドロキシフェニル）エチレン、
　１‐チオアミド‐１‐シアノ‐２‐（３，４‐ジヒドロキシフェニル）エチレン、
　１‐シアノ‐２‐（４‐ヒドロキシフェニル）エチレン、
　１，１‐ジシアノ‐２‐（３‐ヒドロキシ‐４‐ニトロフェニル）エチレン、
　１，１‐ジシアノ‐２‐ヒドロキシ‐２‐（４‐ヒドロキシフェニル）エチレン、
　１，１‐ジシアノ‐２‐（３‐メトキシ‐４‐ヒドロキシフェニル）エチレン、
　１，１‐ジシアノ‐２‐（３，５‐ジヒドロキシフェニル）エチレン、
　１，１‐ジシアノ‐２‐ヒドロキシ‐２‐（３，４，５‐トリヒドロキシフェニル）エチレン、１‐カルボキシ‐１‐シアノ‐２‐（４‐メトキシフェニル）エチレン、
　１‐カルボキシ‐１‐シアノ‐２（４‐フルオロフェニル）エチレン、
　１‐カルボキシ‐１‐シアノ‐２‐（３‐メトキシ‐４‐ヒドロキシフェニル）エチレン、
　１‐カルボキシ‐１‐シアノ‐２‐（３，５‐ジメトキシ‐４‐ヒドロキシフェニル）エチレン、
　１‐カルボキシ‐１‐シアノ‐２‐（４‐ヒドロキシフェニル）エチレン、
　１‐カルボキシ‐１‐シアノ‐２‐（４‐フェニルカルボキシアルデヒド）エチレン、
　１‐シアノ‐１‐カルボキシ‐２‐（２，５‐ジヒドロキシフェニル）エチレン。
ｘｖｉｉｉ．Ｕｎｉｌｅｖｅｒの欧州特許第４１５５９８号に記載のようなＮ‐アシル化アミノ酸。
好ましい具体例としては下記のものが挙げられる：
Ｎ−アセチルグリシン
Ｎ−アセチルヒドロキシプロリン
Ｎ−アセチルアラニン
Ｎ−アセチルバリン
Ｎ−アセチルロイシン
Ｎ−アセチルイソロイシン
Ｎ−アセチルフェニルアラニン
Ｎ−アセチルチロシン
Ｎ−アセチルプロリン
Ｎ−アセチルセリン
Ｎ−アセチルスレオニン
Ｎ−アセチルシステイン
Ｎ−アセチルシスチン
Ｎ−アセチルメチオニン
Ｎ−アセチルトリプトファン
Ｎ−ラウロイルグリシン
Ｎ−パルミトイルグリシン
Ｎ−ミリストイルグリシン
Ｎ−ラウロイルヒドロキシプロリン
Ｎ−オクタノイルグリシン
Ｎ−オクタノイルヒドロキシプロリン
Ｎ−ヘキサノイルグリシン
Ｎ−アセチルアスパラギン酸
Ｎ−ラウロイルアスパラギン酸
Ｎ−パルミトイルアスパラギン酸
Ｎ−オクタノイルアスパラギン酸
Ｎ−アセチルグルタミン酸
Ｎ−ラウロイルグルタミン酸
Ｎ−パルミトイルグルタミン酸
Ｎ−オクタノイルグルタミン酸
Ｎ−アセチルアルギニン
Ｎ−アセチルリシン
Ｎ−アセチルヒスチジン
Ｎ−アセチルオルニチン
Ｎ−アセチルヒドロキシリシン
Ｎ−アセチルシトルリン
Ｎ−ラウロイルリシン
Ｎ−ラウロイルシトルリン
Ｎ−ミリストイルシトルリン
Ｎ−ミリストイルオルニチン
Ｎ−オクタノイルリシン、及び
Ｎ−オクタノイルシトルリン。
（ｂ）浸透増進剤
　前述のごとく、浸透増進剤が存在すると、真皮乳頭の近傍の毛包を直接包囲している作用部位に角質層を介して育毛促進剤が到達し易くなるため、育毛促進剤の効果が増強される。
　従って、浸透増進剤は種々の方法で機能し得る。例えば、皮膚の表面における育毛促進剤の分配を改善し、又は局所適用した組成物から皮膚内部への育毛促進剤の供給を高め、それによって作用部位に移行させ易くする。育毛促進剤の効果を高める別のメカニズムも関与し得る。
　浸透増進剤の具体例としては下記のものが挙げられる：
２−メチルプロパン−２−オール、
プロパン−２−オール、
エチル−２−ヒドロキシプロパノエート、
ヘキサン−２，５−ジオール、
ＰＯＥ（２）エチルエーテル、
ジ（２−ヒドロキシプロピル）エーテル、
ペンタン−２，４−ジオール、
アセトン、
ＰＯＥ（２）メチルエーテル、
２−ヒドロキシプロピオン酸、
２−ヒドロキシオクタン酸、
プロパン−１−オール、
１，４−ジオキサン、
テトラヒドロフラン、
ブタン−１，４−ジオール、
プロピレングリコールジペラルゴネート、
ポリオキシプロピレン１５ステアリルエーテル、
オクチルアルコール、
オレイルアルコールのＰＯＥエステル、
オレイルアルコール、
ラウリルアルコール、
ジオクテルアジペート、
ジカプリルアジペート、
ジイソプロピルアジペート、
ジイソプロピルセバケート、
ジブチルセバケート、
ジエチルセバケート、
ジメチルセバケート、
ジオクチルセバケート、
ジブチルスベレート、
ジオクテルアゼレート、
ジベンジルセバケート、
ジブチルフタレート、
ジブチルアゼレート、
エチルミリステート、
ジメチルアゼレート、
ブチルミリステート、
ジブチルスクシネート、
ジデシルフタレート、
デシルオレエート、
エチルカプロエート、
エチルサリチレート、
イソプロピルパルミテート、
エチルラウレート、
２−エチル−ヘキシルペラルゴネート、
イソプロピルイソステアレート、
ブチルラウレート、
ペンジルベンゾエート、
ブチルヘンゾエート、
ヘキシルラウレート、
エチルナプレート、
エチルカプリレート、
ブチルステアレート、
ベンジルサリチレート、
２−ヒドロキシプロパン酸、
２−ヒドロキシオクタン酸、
ジメチルスルホキシド、
Ｎ，Ｎ−ジメチルアセトアミド、
Ｎ，Ｎ−ジメチルホルムアミド、
２−ピロリドン、
１−メチル−２−ピロリドン、
５−メチル−２−ピロリドン、
１，５−ジメチル−２−ピロリドン、
１−エチル−２−ピロリドン、
ホスフィンオキシド、
糖エステル、
テトラヒドロフルフラールアルコール、
尿素、
ジエチル−ｍ−トルアミド、及び、
１−ドデシルアザシクロヘプタン−２−オン。
（Ｃ）
陽イオンポリマー
　前述のように、陽イオンポリマーが存在すると毛髪及び頭皮への育毛促進剤の供給が改善されるため、育毛促進剤の効果が増強される。
　好ましい陽イオンポリマーの具体例としては下記のものが挙げられる：
　グアーヒドロキシプロピルトリモニウムクロリド、
　Ｑｕａｔｅｒｎｉｕｍ−１９、
　Ｑｕａｔｅｒｎｉｕｍ−２３、
　Ｑｕａｔｅｒｎｉｕｍ−４０、
　Ｑｕａｔｅｒｎｉｕｍ−５７、
　ポリ（ジプロピルジアリルアンモニウムクロリド）、
　ポリ（メチル−γ−プロパニオジアリルアンモニウムクロリド）、
　ポリ（ジアリルピペリジニウムクロリド）、
　ポリ（ビニルピリジニウムクロリド）、
　第四級化ポリ（ビニルアルコール）、
　第四級化ポリ（ジメチルアミノエチルメタクリレート）及びその混合物。
　本発明で使用する場合の活性増進剤の量は、組成物の重量に対して、通常は０．１〜５０重量％、好ましくは０．５〜２５重量％、最も好ましくは０．５〜１０重量％である。
その他の育毛促進剤補助成分
　本発明の組成物は、所期の製品形態に応じて前述の成分以外の補助成分をも含み得る。例えば、組成物の安定性を改善し且つ消費者の要望に応じるために、防腐剤、保存剤、酸化防止剤、乳化剤、着色剤、真珠光沢剤、起泡増進剤、コンディショニング剤（例えば陽イオン界面活性剤、陽イオンポリマー及びシリコーン）及び、ＰＦＰＥ（ペルフルオロボリエチレン）のような毛髪光沢増強剤を含ませることができる。
　本発明の組成物はまた、多様な種類の化粧品又は医薬の活性成分、特に皮膚に適用したときに毛髪成長の促進以外の何らかの有利な効果を示す成分の賦形剤として使用し得る。
界面活性剤
　本発明の方法で使用される組成物はシャンプーとして調製でき、従って、化粧品的に許容し得、毛髪に局所適用するのに適した１種以上の界面活性剤を含む。適当なシャンプー用界面活性剤の具体例を以下に示す。
陰イオン界面活性剤
　本発明の組成物は、好ましくはアルキルスルフェート、アルキルエーテルスルフェート、アルキルスルホネート、アルキルアリールスルホネート、オレフィンスルホネート、アシルサルコシネート、アシルタウリド、アシルイセチオネート、モノアルキルスルホスクシネート、ジアルキルスルホスクシネート、アクリルラクチレート、アシル化α一アミノ酸、アルキルカルボキシレート、モノアルキルホスフェート及びジアルキルホスフェートから選択される陰イオン界面泥性剤を含み得る。
　陰イオン界面活性剤の特定具体例としては下記のものが挙げられる。
アルキルスルフェート類
アルキルエーテルスルフェート類
アルキルスルホネート類
アルキルアリールスルホネート類
ネート［例えばＳｈｅ１１から入手し得るＴＥＥＰＯＬ　ＣＭ４４〕。
オレフィンスルホネート類
　下記の式（５１）：
　【化７】
〔式中、Ｒ３はＣ６〜Ｃ１４のアルキルから選択され、Ｍはアルカリ金属・アンモニウム及びアルカノールアンモニウムのような置換アンモニウムから選択される対イオンである〕
で示される
アシルサルコシネート類
　式（５１）で示されるアシルサルコシネートの一列はナトリウムラウリルサルコシネート〔例えばＧｒａｃｅから入手し得るＨＡＭＰＯＳＹＬ　Ｌ−９５〕である。
　下記の式（５２）：
　【化８】
〔式中、Ｒ４はＣ８〜Ｃ１８のアルキルから選択される〕
で示される
アシルタウリド類
　式（５２）で示されるアシルタウリドの一例はココヤシメチルタウリン〔例えばＧＡＦから入手し得るＦＥＮＯＰＥＮ　ＴＣ　４２〕である。
　下記の式（５３）：
　【化９】
〔式中、Ｒ５はＣ８〜Ｃ１８のアルキルから選択される〕
で示される構造を有する
アシルイセチオネート類
　式（５３）で示されるアシルイセチオネートの一例は、ナトリウムアシルイセチオネート〔例えばＪｏｒｄｏｎから入手し得るＪＯＲＤＡＰＯＮ　Ｃｌ〕である。
　下記の式（５４）：
　【化１０】
〔式中、Ｒ６はＣ１０〜Ｃ２０のアルキルから選択される〕
で示される構造を有する
モノアルキルスルホスクシネート類
　式（５４）で示される構造を有するモノアルキルスルホスクシネートの具体例としては下記のものが挙げられる：
　
ナトリウムラウリルスルホスクシネート
　
マグネシウムアルキルスルホスクシネート
　
ナトリウムラウリルエトキシスルホスクシネート
　
ココヤシモノエタノールアミドエトキシスルホスクシネート
　
ジナトリウムラウリルポリグリコールエーテルスルホスクシネート
　
ポリエチレングリコールスルホスクシネート
　下記の式（５５）：
　【化１１】
〔式中、Ｒ７及びＲ８は互いに同じか又は異なり、Ｃ６〜Ｃ１４のアルキルから選択される〕
で示される
ジアルキルスルホスクシネート類
　式（５５）で示されるジアルキルスルホスクシネートの一例は、ナトリウムジラウリルスルホスクシネート〔例えばＷｉｔｃｏから入手し得るＥＭＣＯＬ４５００〕である。
　下記の式（５６）：
　【化１２】
〔式中、Ｒ９はＣ６〜Ｃ１６のアルキルから選択され、ｎは１又は２の整数である〕で示される構造を有する
アシルラクチレート類
　式（５６）で示される構造を有するアシルラクチレートの一例は、デカノイルラクチレート〔例えばＰａｔｔｅｒｓｏｎ，ＣＪから入手し得るＰＡＴＩＯＮＩＣ　２２Ａ〕である。
　
アシル化α−アミノ酸類
　
エチルカルボキシレート類
　
モノアルキルホスフェート類及びジアルキルホスフェート類
両性界面活性剤
　本発明のシャンプー組成物は両性界面活性剤も含む。適当な両性界面活性剤は、脂坊族基が炭素原子を８〜１８個含み直鎖状又は分枝状であり、更にカルボキシル、スルホネート、スルフェート、ホスフェート又はホスホネートのような陰イオン系水可溶化基を含む脂肪族第四アンモニウム、ホスホニウム及びスルホニウム化合物の誘導体である。
　好ましい両性界面活性剤としては、下記の式（５７）：
　【化１３】
〔式中、Ｒ１はＣ１〜Ｃ１６のアルキル〕
で示される
アルキルベタイン類
　式（５７）で示されるアルキルベタインの一例は、ラウリルジメチルベタイン〔例えばＡｌｂｒｉｇｈｔ　＆　Ｗｉｌｓｏｎから入手し得るＥＭＰＰＩＧＥＮ　ＢＢ〕である。
　下記の式（５８）：
　【化１４】
で示される
アルキルアミドプロピルベタイン類
　式（５８）で示されるアルキルアミドプロピルベタインの一例は、ココアミドプロピルベタイン〔例えばＧｏｌｄｓｃｈｍｉｄｔから入手し得るＴＥＧＯＢＥＴＡＩＮ　Ｌ７〕である；
　下記の式（５９）：
　【化１５】
［式中、Ｒ１１はＨ、ＣＨ２ＣＯＯ−及び（ＣＨ２）２ＣＯＯ−から選択され、Ｒ１１１はＣＨ２ＣＯＯ−及び（ＣＨ２）２ＣＯＯ−から選択される］
で示される
アルキルアンホグリシネート類
アルキルアンホプロピオネート類
　化合物（５９）の適当な具体例としては、ココアンホグリシネート〔ＧＡＦから入手可能〕及びココアンホプロピオネートが挙げられる。
　下記の式（６０）：
　【化１６】
〔式中、Ｒ２はＣ１２〜Ｃ１６アルキルアルキルアミドから選択される〕
で示される
スルタイン類
　式（６０）で示されるスルタインの一例は、ココアミドプロピルヒドロキシスルタイン〔例えばＡｌｃｏｌａｃから入手し得るＣＹＣＬＯＴＥＲＩＣ　ＢＥＴ−ＣＳ〕である。
　最も好ましい両性界面活性剤はラウリルジメチルベタイン及びココアミドプロピルベタインである。
　この種の両性界面活性剤は本発明のシャンプーの泡立ちを助ける一方で、陰イオン界面活性剤の刺激性を緩和する。
非イオン界面活性剤
　本発明のシャンプー組成物はＨＬＢ８以上のアルコキシル化又はグリコシド系非イオン界面活性剤も含み得る。ＨＬＢが前記値を上回る非イオン界面活性剤は通常、前記範囲のＨＬＢを有する別の界面活性剤との組合わせによって透明な等方性溶液を形成する。好ましい非イオン界面活性剤は、ポリオキシエチレンアレキルエステル、ポリオキシエチレンアルキルエーテル及びアルキルポリグリコシドである。
　ポリオキシエチレンアルキルエステルの適当な具体例としては、ソルビトールとソルビトール無水物とのオレイン酸エステル混合物を約２０モルのエチレンオキシドと縮合したものであるＣＴＦＡ社のＰｏｌｙｓｏｒｂａｔｅ８０である。また、約２０モルのエチレンオキシドと縮合した、ソルビトールとソルビトール無水物とのラウリン酸エステル混合物であるＰｏｌｙｓｏｒｂａｔｅ　２０も適当である。
　Ｐｏｌｙｓｏｒｂａｔｅ　８０及びＰｏｌｙｓｏｒｂａｔｅ　２０は、ＩＣＩＣ　ＡｍｅｒｉｃａｓからそれぞれＴＷＥＥＮ　８０及びＴＷＥＥＮ　２０として市販されている。
　また、ＮＯＮＩＤＥＴ　ＬＥ−８Ｔ又はＳＹＮＰＥＲＯＮＩＣ　９１−８Ｔとして市販されている平均エトキシ単位数８のＣ９〜Ｃ１１アルコールのポリエチレングノコールエーテル、及びＤＯＢＡＮＯＬ　２５−９として市販されている平均エトキシ単位数９のＣ１２〜Ｃ１５アルコールのポリエチレングリコールエーテルも本発明の組成物で使用するのに適している。
　特に有用なアルキルポリグリコシドには、アルキル鎖がＣ８〜Ｃ１６であり得且つ平均グルコース単位数が１〜２であるグルコース又はグルコースオリゴマーのグリコシドがある。適当な具体例としては、平均グルコース単位数約１．５のＣ１０〜Ｃ１２脂肪アルコールのグリコシドであるＯＲＡＭＩＸ　ＮＳ　１０が挙げられる。
　本発明の組成物に含ませ得る界面活性剤の量は、組成物の３０重量％以下、好ましくは１〜２０重量％である。
組成物の保存（ｐｒｅｓｅｒｖａｔｉｏｎ）
　本発明の組成物は、製造してから販売及び使用に至るまで長期間にわたって貯蔵できるように保存するのが好ましい。理想的には、本組成物は無限の貯蔵寿命を有する。
　明らかに育毛促進剤は、特に、好ましい組成物の特徴である皮膚のｐＨに近いｐＨ直では、細菌、かび、菌類及び他の微生物による攻撃を受けやすい。従って本組成物の貯蔵寿命は、組成物の保存処置を行わない限り、育毛促進剤の生分解により許容不可能なほど短くなり得る。
　保存のためには、哺乳動物の皮膚又は毛髪に組成物を局所適用する前に、微生物による組成物の腐敗及び／又は育毛促進剤の生分解を生じ得る生存可能な微生物が組成物中に好ましくは全く又は殆ど混入されないようにすべきである。しかしながら本発明の組成物は、例えば細菌の胞子のような生存可能ではあるが休眠している微生物を、組成物の使用前に前記微生物を実質的に増殖させないという保存条件のもとで含んでもよい。
以下に、本発明の組成物を保存するために使用し得る方法の具体例を挙げる。
（ｉ）滅菌
　本発明の組成物は、実質的に総ての生存可能な混入微生物を除去するか又は殺すために滅菌して保存し得る。滅菌は、医薬業界で十分に確立された方法を用いて、致死量のガンマ線の照射、加熱殺菌又は限外濾過により実施し得る。
（ｉｉ）化学的防腐剤
　本発明の組成物は、細菌、菌類又は他の微生物の増殖を防止するか又はこれらの汚染物を殺すように作用する化学的防腐剤を組成物中に含ませることによって保存することもできる。
　化学的防腐剤の具体例としては、エタノール、安息香酸、安息香酸ナトリウム、ソルビン酸、ソルビン酸カリウム、プロピオン酸ナトリウム、並びにｐ−ヒドロキシ安息香酸のメチル、エチル、プロピル及びブチルエステルが挙げられる。本発明の組成物中に配合し得る化学的防腐剤の量は微生物の増殖を阻止するに十分であるように選択し、通常は０．０５〜５重量％、好ましくは０．１〜２重量％である。
（ｉｉｉ）水分活性降下剤
　本発明の組成物は、水分活性降下剤、例えばグリセロール、プロピレングリコール、ソルビトール、糖、及び塩類、例えば、アルカリ金属ハロゲン化物、硫酸塩支びカルボン酸塩を含ませることによって保存することもできる。水分活性降下剤を使用する場合は、水分活性（αＷ）を１から＜０．９、好ましくは＜０．８５、最も好ましくは＜０．８（この最も低い値では、酵母、かび及び菌は増殖しない）に下げるために十分な量で組成物中に配合する。
ｐＨ
　育毛促進剤は、特に組成物のｐＨがアルカリ性の場合には、加水分解され易い。従って本組成物は、水性のときには、酸性のｐＨ値を有すべきである。水性の場台の本組成物の好ましいｐＨ値は２〜＜７、理想的には４〜６．５である。
製造方法
　本発明は、哺乳動物の皮膚又は毛髪への局所適用に適した組成物の製造方法も提供する。この方法は、前述の育毛促進剤を適当な賦形剤と混合して、育毛促進剤が組成物の０．０００１〜９９重量％を構成する本発明の組成物を形成することからなる。
製品の形態及び容器
　本発明の組成物は、ロールボールアプリケーターのようなアプリケーター、プロペラントを収容したエアゾール缶のような噴霧デバイス、又は液体製品を小出しするためのポンプを備えた容器に詰めて使用される液体、例えばローション、シャンプー、コンディショナー、乳液又はクリームの形態に調製し得る。本発明の組成物はまた、適当なアプリケーターを用いて使用されるか又は単にチューブ、壜もしくは蓋付き容器に入れられたスティック、クリーム又はゲルのような固体又は半固体であってもよく、あるいは、塗布用ティッシューのような液体含浸布の形態に調製することもできる。
　本発明は、前述の組成物を収容するための閉鎖容器も提供する。
育毛促進剤の使用
　本発明は、毛髪の成長を誘発、維持又は増進すべく哺乳類の皮膚又は毛髪に局所適用するための本発明の育毛促進剤の使用にも関する。
　本発明の組成物は主として、軟毛を硬毛として成長するように変換するか、又は硬毛の成長速度を速めるために、特に既に禿ているか又は禿つつあるヒトの頭皮に局所適用するためのものである。本発明の組成物は、禿頭の発症を低下又は防止するために、毛髪に、従って頭皮に予防的に（ｐｒｏｆｉｌａｃｔｉｃａｌｌｙ）適用することもできる。
　毛髪及び／又は頭皮への組成物の適用量及び適用頻度は、各人の必要に応じて広い範囲で変化し得るが、一例として、選択した化学的抑制薬（ｃｈｅｍｉｃａｌｉｎｈｉｂｉｔｏｒ）を０．００００１〜１ｇ含む組成物を０．１〜５ｇ／日の用量で６箇月以上局所適用すれば、通常は毛髪の成長に改良が見られるであろう。
ｉｎ　ｖｉｔｒｏ毛包成長試験による育毛促進剤の効果の評価
　単離したヒト毛包の培養培地中での伸びを測定するｉｎ　ｖｉｔｒｏ試験によって化合物の育毛効果を評価した。
皮膚からの毛包の単離
　この試験は、顕微解剖によって、ヒトの皮膚、例えばフェイスリフトスキン（ｆａｃｅｌｉｆｔ　ｓｋｉｎ）から無傷の毛球を有する毛包を単離する重要な操作を含む。
　毛包を無傷の完全な毛球と共に周囲の皮下脂肪組織から分離するという困難な操作を行うには、毛球が毛幹の一部分を維持しながら完全無傷な状態を保持するように、皮膚表面の表皮の下方の一点で毛包の毛幹を切断する。
　好ましくは、表皮と皮下脂肪との間の界面で毛包の毛幹を切断する。
　毛幹をこのように切断するためには任意の適当な器具を使用し得るが、好ましくは角膜刀又はメスを使用する。
　次いで、通常は毛球を包囲する緩く付着した皮下脂肪から毛髪を機械的に分離することによって、毛幹の断端が付着している毛球を皮膚から単離する。この操作は、毛球を取り出すときに毛球を損傷しないように、皮膚の表皮即ち上層を分離し除去した後で行う。
　次いで毛幹の断端が付着した毛球を、他の点では無傷である完全に機能する生存可能状態で栄養培地に移す。
単離した毛包の培養
　前記の方法で単離した毛包を適当な培養培地に移し、この毛包のその後の発達に影響を与え得る物質を試験する。
　ここで、培養及び毛髪成長試験の好ましい方法を説明する。
　好ましい培養方法では、６１歳の女性のフェイスリフトスキンから単離した毛包を、抗体（ペニシリン及びストレプトマイシン）、インシュリン（１０ｎｇ／ｍｌ）及びヒドロコルチゾン（１０ｎｇ／ｍｌ）を加えた、被検育毛物質を含む又は含まないＷｉｌｌｉａｍｓ　Ｅ培地１ｍｌ中に維持する。前記培地を、２４マルチウェル皿（Ｃｏｒｎｉｎｇ）の個々のウェルで、５％ＣＯ２＋９５％空気の雰囲気下３７℃でインキュベートする。これによって、個々の毛包の長さを精密に測定することができる。培地は、実験中４日後に一度交換した。
　Ｗｉｌｌｉａｍｓ　Ｅ培地はＦＬＯＷ　ＬａｂｏｒａｔｏｒｙからカタログＮｏ．１２−５０２で入手し得る。Ｗｉｌｌｉａｍｓ　Ｅ培地の処方はＷｉｌｌｉａｍｓ　ＧＭらによりＥｘｐｅｒｉｍｅｎｔａｌ　Ｃｅｌｌ　Ｒｅｓｅａｒｃｈ　６９（１９７１）のｐ．１０６に記述されている。
　毛包の長さの変化を毎日測定することによって各毛包の一日当たりの成長速度及び累積成長を計算し、これに基づいて総ての毛包の平均値を算出した。
結果の評価
　被検物質に対する単離毛包の応答は、被検物質の存在下での長さの増加を測定して対照と比較することにより評価し得る。
　前述のｉｎ　ｖｉｔｒｏ方法を用いて、２種類の「燃料（ｆｕｅｌ）」（育毛促進剤）、即ち前述のグルタミン酸誘導体及びグルタミンの育毛効果を評価した。
　　【実施例】
　以下に実施例を挙げて本発明をより詳細に説明する。
実施例１
　この実施例は、毛髪の成長を促進するために頭皮に局所適用するのに適した本発明のローションを説明するものである。
　該ローションは下記の組成を有する：
　　　　　　　　　　　　　　　　　　
％Ｗ／Ｗ
　　　　　促進剤Ｎｏ．（２）　　　　　　１
　　　　　エタノール　　　　　　　　　９９
　　　　　香料　　　　　　　　　　　　ｑ．ｓ．。
実施例２
　この実施例は、毛髪又は頭皮に適用するのに適したヘヤトニックを説明するものである。
　該ヘヤトニックは下記の組成を有する：
　　　　　　　　　　　　　　　　　　
％Ｗ／Ｗ
　　　　　促進剤Ｎｏ．（２２）　　　　　２
　　　　　エタノール　　　　　　　　　４９
　　　　　水　　　　　　　　　　　　　４９
　　　　　香料　　　　　　　　　　　　ｑ．ｓ．。
実施例３
　この実施例も、頭皮に局所適用するのに適したローションを説明するものである。
　該ローションは下記の組成を有する：
　　　　　　　　　　　　　　　　　　
％Ｗ／Ｗ
　　　　　促進剤Ｎｏ．（３）　　　　　　３
　　　　　プロパンー２−オール　　　　１０
　　　　　エタノール　　　　　　　　　８７
　　　　　香料　　　　　　　　　　　　ｑ．ｓ．。
実施例４
　この実施例も、毛髪又は頭皮に適用するのに適したヘヤトニックを説明するものである。
　該へヤトニックは下記の組成を有する：
　　　　　　　　　　　　　　　　　　
％Ｗ／Ｗ
　　　　　促進剤Ｎｏ．（７）　　　　　　３
　　　　　エタノール　　　　　　　　　４０
　　　　　水　　　　　　　　　　　　　５７
　　　　　香料　　　　　　　　　　　　ｑ．ｓ．。
実施例５〜８
　下記の組成は、禿の又は禿つつある男性又は女性の治療で局所適用し得るローションの組成である。
　【表１】
実施例９〜１２
　下記の組成は、禿頭症の治療に使用できるクリームの組成である。
　【表２】
実施例１３
　この実施例は、本発明のアミン含有高内相油中水型エマルジョン（ｗａｔｅｒ−ｉｎｏｉｌ　ｈｉｇｈ　ｉｎｔｅｒｎａｌ　ｐｈａｓｅ　ｅｍｕｌｓｉｏｎ　ｃｏｎｔａｉｎｉｎｇ　ａｎ　ａｍｉｎｅ）を説明するものである。
　該エマルジョンは、１０容量％の油相と９０重量％の水相とからなる。
　油相及び水相は下記の組成を有する：
　　　　　　　　　　　　　　　　　　　　　
％Ｗ／Ｗ
油相
ソルビクンモノオレエート　　　　　　　　　　２０
Ｑｕａｔｅｒｎｉｕｍ−１８ヘクトライト　　　　５
液体パラフィン　　　　　　　　　　　　　　　７５
水相
促進剤Ｎｏ．３３　　　　　　　　　　　　　　　１
キサンタンガム　　　　　　　　　　　　　　　　１
保存剤　　　　　　　　　　　　　　　　　　　　０．３
香料　　　　　　　　　　　　　　　　　　　　　ｑ．ｓ．
塩化ナトリウム（１％ｗ／ｗ溶液）　　　　総量１００まで。
　該エマルジョンは、１０容量部の油相に９０容量部の水相を攪拌しながらゆっくり加えることによって調製した。
　このようにして形成した高内相油中水型エマルジョンは、毛髪の成長及び再成長を促進するために頭皮に局所適用し得る。
　以下の実施例１４〜１８は、毛髪及び頭皮の洗浄並びに頭皮上の毛髪の成長促進に使用するためのシャンプーを説明するものである。
実施例１４
　　　　　　
％Ｗ／Ｗ
ラウリルエーテル硫酸ナトリウム（２ＥＯ）〔２１％ＡＤ〕　　　　　　　　　４１．４
ラウリルジメチルアミノ酢酸ベタイン〔３０％ＡＤ〕　　　　　　　　　　　　　４
ココヤシ脂肪酸ジエタノールアミン　　　　　　　　　　　　　　　　　　　　　１．５
オレイルトリエトキシホスフェート（ＢＲＩＰＨＯＳ　０３Ｄ）　　　　　　　　　１
ポリグリコールーポリアミン縮合樹脂（ＰＯＬＹＱＵＡＲＴ　Ｈ）［５０％活性］１．５
保存剤、着色剤、塩　　　　　　　　　　　　　　　　　　　　　　　　　　　　０．５８
促進剤Ｎｏ．２９　　　　　　　　　　　　　　　　　　　　　　　　　　　　１０
香料　　　　　　　　　　　　　　　　　　　　　　　　　　　　　　　　　　ｑ．ｓ．
水　　　　　　　　　　　　　　　　　　　　　　　　　　　　　　　　総量１００まで。
実施例１５
　　　　　　　　　　　　　　　　　　　　　　　　　　　　　　　　　　　　
％Ｗ／Ｗ
ラウリルエーテル硫酸ナトリウム（２ＥＯ）〔１００％ＡＤ〕　　　　　　　　１２
ＰＯＬＹＭＥＲ　ＪＲ４００　　　　　　　　　　　　　　　　　　　　　　　　２．５
ＢＲＩＰＨＯＳ　０３Ｄ　　　　　　　　　　　　　　　　　　　　　　　　　　２．５
促進剤Ｎｏ．３０　　　　　　　　　　　　　　　　　　　　　　　　　　　　１５
硫酸マグネシウム　　　　　　　　　　　　　　　　　　　　　　　　　　　　　５
香料　　　　　　　　　　　　　　　　　　　　　　　　　　　　　　　　　　ｑ．ｓ．
水　　　　　　　　　　　　　　　　　　　　　　　　　　　　　　　　総量１００まで。
実施例１６
　この実施例も頭皮に局所適用するのに適したローションを示すものである。
　該ローションは下記の組成を有する：
　　　　　　　　　　　　　　　　　　　
％Ｗ／Ｗ
　　　　　促進剤Ｎｏ．（３５）　　　　　　５
　　　　　ミノキシジル　　　　　　　　　　１
　　　　　プロパン−２−オール　　　　　１０
　　　　　エタノール　　　　　　　　　　８４。
実施例１７
　この実施例は頭皮に局所適用し得る本発明の粉末組成物を示す。
　　　　　　　　　　　　　　　　　　　
％Ｗ／Ｗ
　　　　　化学的改質澱粉　　　　　　　　　５
　　　　　化学的改質セルロース　　　　　　−
　　　　　ホウ酸　　　　　　　　　　　　１０
　　　　　酸化亜鉛　　　　　　　　　　　　５
　　　　　促進剤Ｎｏ．（３６）　　　　　　３
　　　　　ミノキシジル　　　　　　　　　　５
　　　　　香料　　　　　　　　　　　　　　ｑ．ｓ．
　　　　　チョーク　　　　　　　　　　　１０
　　　　　タルク　　　　　　　　　　総量１００まで。
実施例１８
　次の実施例は、抜け毛を防止し毛髪の再成長を刺激するために頭皮に局所適用し得る本発明のローションを示す。
　　　　　　　　　　　　　　　　　　　
％Ｗ／Ｗ
　　　　　促進剤Ｎｏ．（２２）　　　　　　７
　　　　　グルカロ−１，４−ラクトン　　　２
　　　　　エタノール　　　　　　　　　　１６
　　　　　クエン酸　　　　　　　　　　　　１．０５
　　　　　水　　　　　　　　　　　　　総量１００まで
　ｐＨは水酸化ナトリウムで４．２に調整した。
実施例１９及び２０
　これらの実施例は、毛髪及び頭皮への適用に適したヘヤートニックを説明するものである。
　該へヤートニックは下記の組成を有する：
　　　　　　　　　　　　　　　　　　　　　
％Ｗ／Ｗ
　　　　　　　　　　　　　　　　　　　
１９
２０
　　　　　促進剤Ｎｏ．（２）　　　　　　−　　　　　２
　　　　　促進剤Ｎｏ．（３）　　　　　　２　　　　　−
　　　　　グルカロ−１，５−ラクタム　　３　　　　　３
　　　　　エタノール　　　　　　　　　５０　　　　５０
　　　　　水　　　　　　　　　　　　　４５　　　　４５。
実施例２１
　この実施例は、洗髪と同時に毛髪の成長もしくは再成長を促進するために頭皮に抑制剤を供給すべく毛髪に局所適用するのに適したシャンプーを示す。
　該シャンプーは下記の組成を有する：
　　　　　　　　　　　　　　　　　　　　　
％Ｗ／Ｗ
ラウリル硫酸トリエタノールアミン　　　　　１６．８
ココヤシジエタノールアミド　　　　　　　　　３．０
ヒドロキシプロピルメチルセルロース（１）　　０．２５
コーンシロップ（固形分８０％）（２）　　　２０．５
ジメチルポリシロキサン（３）　　　　　　　　１．０
陽イオンセルロース（４）　　　　　　　　　　０．５
エチルアルコール（ＳＤＡ　４０）　　　　　　９．０
ビニルカルボキシポリマー（５）　　　　　　　０．７５
促進剤Ｎｏ．（４１）　　　　　　　　　　　　８
香料、着色剤、保存剤　　　　　　　　　　　　ｑ．ｓ．
水　　　　　　　　　　　　　　　　　　　総量１００まで
酸又は塩基　　　　　　　　　　　　　　　ｐＨ６．５まで
１−Ｍｅｔｈｏｃｅｌ　Ｅ４Ｍ（Ｄｏｗ　Ｃｈｅｍｉｃａｌ）
２−４２　Ｄｅｘｔｒｏｓｅ　ｅｑｕｉｖａｌｅｎｔ（Ｓｔａｌｅｙ１３００）
３−６０，０００センチストークス（Ｖｉｓｃａｓｉｌ，ＣＥＧ）
４−Ｐｏｌｙｍｅｒ　ＪＲ４００
５−Ｃａｒｂｏｐｏｌ　９４１（ＢＦ　Ｇｏｏｄｒｉｃｈ）。
実施例２２
　この実施例は本発明のシャンプーを説明するものである。
　該シャンプーは下記の組成を有する：
　　　　　　　　　　　　　　　　　　　　　　　
％Ｗ／Ｗ
ラウリルエーテル硫酸ナトリウム（３ＥＯ）　　　　１０
真珠顔料（ｐｅａｒｌｉｓｉｎｇ　ａｇｅｎｔ）　　　４
ベタイン　　　　　　　　　　　　　　　　　　　　　２
陽イオンポリマー　　　　　　　　　　　　　　　　　０．２
促進剤Ｎｏ．（２）　　　　　　　　　　　　　　　　０．５
微量成分　　　　　　　　　　　　　　　　　　　　　４
水　　　　　　　　　　　　　　　　　　　　　　総量１００まで
ｐＨ値：６〜７
粘度：３５００〜４０００ｃｐｓ（Ｂｒｏｏｋｆｉｅｌｄ　ＳｐｉｎｄｌｅＮｏ．３、１０ｒｐｍ、２５℃）。
実施例２３
　この実施例は本発明のシャンプーを説明するものである。
　該シャンプーは下記の組成を有する：
　　　　　　　　　　　　　　　　　　　　　　　　　　　　　
％Ｗ／Ｗ
ラウリルエーテル硫酸ナトリウム（３ＥＯ）（７０％ＡＤ）　　２０
真珠顔料（ｐｅａｒｌｉｓｉｎｇ　ａｇｅｎｔ）　　　　　　　　２
ベタイン　　　　　　　　　　　　　　　　　　　　　　　　　　６
ブチルグルタミン　　　　　　　　　　　　　　　　　　　　　　１
シリコーンエマルジョン　　　　　　　　　　　　　　　　　　　１
陽イオンポリマー　　　　　　　　　　　　　　　　　　　　　　０．１
Ｄ−パンテノール　　　　　　　　　　　　　　　　　　　　　　０．４
Ｃａｒｂｏｐｏｌ　　　　　　　　　　　　　　　　　　　　　　０．４
塩化ナトリウム　　　　　　　　　　　　　　　　　　　　　　　２．５
微量成分　　　　　　　　　　　　　　　　　　　　　　　　　　８．５
水　　　　　　　　　　　　　　　　　　　　　　　　　　　総量１００まで
ｐＨ値６．５
粘度：５０００ｃｐｓ（Ｂｒｏｏｋｆｉｅｌｄ　Ｓｐｉｎｄｌｅ　Ｎｏ．３、１０ｒｐｍ、２５℃）。